(57)【要約】【課題】導体パターンを単なる伝送路としてのみ機能するものではなく、共振周波数を持つフィルタの共振子本体として機能させ、好ましい周波数特性を有するローパスフィルタを提供する。【解決手段】ローパスフィルタは、誘電体基板と、誘電体基板に設けられ、信号を伝送するための信号伝送路と、を備える。信号伝送路は、入力端子に接続される入力伝送路と、出力端子に接続され、入力伝送路と交差する出力伝送路と、を含んでいる。ローパスフィルタは、さらに、誘導体基板に設けられ、信号伝送路の隣に配置される反転信号伝送路を備えていてもよい。反転信号伝送路は、反転入力端子に接続される反転入力伝送路と、反転出力端子に接続され、反転入力伝送路と交差する反転出力伝送路と、を含む。反転入力伝送路と反転出力伝送路との交点は、信号伝送路と反転信号伝送路との間を通る直線に対して、入力伝送路と出力伝送路との交点と反対側に配置される。【選択図】図１
2015053649.tif 000002
【特許請求の範囲】
【請求項１】
誘電体基板と、
前記誘電体基板に設けられ、信号を伝送するための信号伝送路と、
を備え、
前記信号伝送路は、
入力端子に接続される入力伝送路と、
出力端子に接続され、前記入力伝送路と交差する出力伝送路と、
を含む、ローパスフィルタ。
【請求項２】
請求項１に記載のローパスフィルタであって、
前記入力伝送路は、前記出力伝送路と直交する、ローパスフィルタ。
【請求項３】
請求項１又は２に記載のローパスフィルタであって、
前記入力伝送路の中点は、前記出力伝送路の中点と一致する、ローパスフィルタ。
【請求項４】
請求項１から３のいずれか１項に記載のローパスフィルタであって、さらに、
前記誘導体基板に設けられ、前記信号伝送路の隣に配置され、前記信号伝送路が伝送する信号と逆位相の信号を伝送するための反転信号伝送路を備え、
前記反転信号伝送路は、
前記入力端子に隣接する反転入力端子に接続される反転入力伝送路と、
前記出力端子に隣接する反転出力端子に接続され、前記反転入力伝送路と交差する反転出力伝送路と、
を含み、
前記反転入力伝送路と前記反転出力伝送路との交点は、前記信号伝送路と前記反転信号伝送路との間を通る直線に対して、前記入力伝送路と前記出力伝送路との交点と反対側に配置される、ローパスフィルタ。
【請求項５】
請求項４に記載のローパスフィルタであって、
前記反転入力伝送路は、前記反転出力伝送路と直交する、ローパスフィルタ。
【請求項６】
請求項４又は５に記載のローパスフィルタであって、
前記反転入力伝送路の中点は、前記反転出力伝送路の中点と一致する、ローパスフィルタ。
【請求項７】
請求項４から６のいずれか１項に記載のローパスフィルタであって、さらに、
前記誘電体基板に設けられ、前記信号伝送路及び前記反転信号伝送路の周りに設けられるグラウンドを備える、ローパスフィルタ。
【発明の詳細な説明】
【技術分野】
【０００１】
本発明は、ローパスフィルタに関する。
【背景技術】
【０００２】
近年、携帯電話機やスマートフォンを用いた移動通信システム、及び無線ＬＡＮ等、電磁波を取り扱う通信技術が広く普及している。このような通信技術で使用される電子機器には、ローパスフィルタが用いられることがある。例えば、特許文献１には、単結晶基板上に、複数のストリップ導体がジグザグ状に配置されるとともに、複数のスタブ導体がストリップ導体とＹ字状をなすように配置されたローパスフィルタが開示されている。また、特許文献１には、単結晶基板上に、複数のストリップ導体が直線状に配置されるとともに、複数のスタブ導体がストリップ導体と直交するように配置されたローパスフィルタも開示されている。
【先行技術文献】
【特許文献】
【０００３】
【特許文献１】特開平１０−６５４９２号公報
【発明の概要】
【発明が解決しようとする課題】
【０００４】
ところで、上述したようなローパスフィルタは、所定の周波数（遮断周波数）以下の周波数の信号のみを通過させ、遮断周波数よりも大きい周波数の信号を完全に遮断するのが理想的であるとされている。しかしながら、このような理想的な周波数特性を有するローパスフィルタを作成するのは物理的に不可能であるため、ローパスフィルタの設計に際しては、遮断周波数以下の周波数帯域では信号の損失を極力少なくする一方、遮断周波数よりも大きい周波数帯域では信号の減衰量を極力大きくすることが求められる。
【０００５】
また、特許文献１では、複数のスタブの共振を利用してのローパスフィルタを形成しており、スタブとスタブを結ぶ傾いた導体パターンは、伝送路としての役割しか果たしていない。本発明は、導体パターンを単なる伝送路としてのみ機能するものではなく、共振周波数を持つフィルタの共振子本体として機能させ、好ましい周波数特性を有するローパスフィルタを提供することを課題とする。
【課題を解決するための手段】
【０００６】
本発明に係るローパスフィルタは、上記課題を解決するためのものであり、誘電体基板と、誘電体基板に設けられ、信号を伝送するための信号伝送路と、を備える。信号伝送路は、入力端子に接続される入力伝送路と、出力端子に接続され、入力伝送路と交差する出力伝送路と、を含む。
【０００７】
上記ローパスフィルタでは、入力端子に入力される信号の周波数が所定の周波数よりも小さい間は、入力伝送路及び出力伝送路に電流及び電圧の定在波が生じず、入力伝送路及び出力伝送路は単純な導線として機能するため、入力信号はほとんど損失なく出力端子へと伝達される。入力信号の周波数が上記所定の周波数になると、入力伝送路及び出力伝送路に電流及び電圧の定在波が生じる。この電流及び電圧の定在波の振幅の積が最大となる点（電力の腹）付近に入力伝送路と出力伝送路との交点が配置されていれば、入力信号が出力端子へと伝達される。入力信号の周波数を上記所定の周波数よりも大きくしていくと、電流及び電圧の定在波の波長が徐々に短くなり、入力信号が出力端子に伝達されにくくなっていく。そして、電流及び電圧の定在波の振幅の積がゼロとなる点（電力の節）が入力伝送路と出力伝送路との交点と一致したとき、入力信号は出力端子へと伝達されなくなる。このように、上記ローパスフィルタは、信号伝送路を単なる伝送路としてだけでなく共振子本体として機能させ、所定の周波数よりも大きい周波数の信号をほとんど遮断する一方で、所定の周波数以下の周波数の信号をほとんど損失なく通過させるという、ローパスフィルタとして好ましい周波数特性を有する。
【０００８】
上記ローパスフィルタにおいて、入力伝送路は、出力伝送路と直交していることが好ましい。この構成によれば、所定の周波数以下の周波数の信号の伝達効率が向上し、所定の周波数以上の周波数の信号をより確実に遮断することができる。
【０００９】
上記ローパスフィルタにおいて、入力伝送路の中点は、出力伝送路の中点と一致していることが好ましい。
【００１０】
上記ローパスフィルタは、さらに、誘導体基板に設けられ、信号伝送路の隣に配置され、信号伝送路が伝送する信号と逆位相の信号を伝送するための反転信号伝送路を備えていてもよい。反転信号伝送路は、入力端子に隣接する反転入力端子に接続される反転入力伝送路と、出力端子に隣接する反転出力端子に接続され、前記反転入力伝送路と交差する反転出力伝送路と、を含む。反転入力伝送路と反転出力伝送路との交点は、信号伝送路と反転信号伝送路との間を通る直線に対して、入力伝送路と出力伝送路との交点と反対側に配置されることが好ましい。このように構成することによって、信号伝送路及び反転信号伝送路を同時に信号が伝送する場合に、信号伝送路に発生する電界及び磁界と、反転信号伝送路に発生する電界及び磁界とが互いに干渉するのを軽減することができる。
【００１１】
上記ローパスフィルタにおいて、反転入力伝送路は、反転出力伝送路と直交していることが好ましい。この構成によれば、反転伝送路に関して、所定の周波数以下の周波数の信号の伝達効率が向上し、所定の周波数以上の周波数の信号をより確実に遮断することができる。
【００１２】
上記ローパスフィルタであって、反転入力伝送路の中点は、反転出力伝送路の中点と一致していることが好ましい。
【００１３】
上記ローパスフィルタは、さらに、誘電体基板に設けられ、信号伝送路及び反転信号伝送路の周りに設けられるグラウンドを備えていてもよい。
【図面の簡単な説明】
【００１４】
【図１】本発明の一実施形態に係るローパスフィルタの斜視図である。
【図２】図１のローパスフィルタの平面図である。
【図３】図１のローパスフィルタの底面図である。
【図４Ａ】電流及び電圧の定常波が生じた入力伝送路及び出力伝送路を示す図である。
【図４Ｂ】図４Ａの入力伝送路と出力伝送路とを組み合わせた状態を示す図である。
【図５Ａ】図４Ａとは波長が異なる電流及び電圧の定常波が生じた入力伝送路及び出力伝送路を示す図である。
【図５Ｂ】図５Ａの入力伝送路と出力伝送路とを組み合わせた状態を示す図である。
【図６Ａ】実施例１のローパスフィルタの信号伝送時の電流分布を示す図である。
【図６Ｂ】実施例１のローパスフィルタの信号伝送時の電流分布を示す別の図である。
【図６Ｃ】実施例１のローパスフィルタの周波数特性を示すグラフである。
【図７Ａ】実施例２の差動フィルタの概略平面図である。
【図７Ｂ】実施例２の差動フィルタの周波数特性を示すグラフである。
【図８Ａ】比較例２の差動フィルタの概略平面図である。
【図８Ｂ】比較例２の差動フィルタの周波数特性を示すグラフである。
【図９Ａ】実施例３のローパスフィルタの概略平面図である。
【図９Ｂ】実施例３のローパスフィルタの周波数特性を示すグラフである。
【発明を実施するための形態】
【００１５】
以下、本発明の実施の形態について図面を参照しつつ説明する。一度説明した構成と同一の構成及びこれに相当する構成については、同一の符号を付して同じ説明を繰り返さない。
【００１６】
＜ローパスフィルタの構成＞
本実施形態に係るローパスフィルタ１０は、図１〜図３に示すように、誘電体基板１と、信号伝送路２と、反転信号伝送路３と、グラウンド４，５と、を備えている。本実施形態のローパスフィルタ１０は、いわゆる差動フィルタであり、信号伝送路２を信号が伝送する際、同時に、この信号と逆位相の信号が反転信号伝送路３を伝送する。
【００１７】
誘電体基板１は、図１に示すように、矩形状をなす。図２に示すように、誘電体基板１の主面Ｓ１上には、入力端子６１と、出力端子６２と、反転入力端子６３と、反転出力端子６４と、が設けられている。入力端子６１は、誘電体基板１の一方の長辺ＬＳ１１の中点Ｍ１１付近に設けられている。出力端子６２は、誘電体基板１のもう一方の長辺ＬＳ１２の中点Ｍ１２付近に設けられている。反転入力端子６３は、中点Ｍ１１，Ｍ１２を通る直線Ｌに対して入力端子６１と反対側に配置され、且つ入力端子６１に隣接して配置される。反転出力端子６４は、直線Ｌに対して出力端子６２と反対側に配置され、且つ出力端子６２に隣接して配置される。
【００１８】
信号伝送路２は、図１及び図２に示すように、誘電体基板１の主面Ｓ１上に設けられている。信号伝送路２は、入力伝送路２１と、出力伝送路２２と、を備える。
【００１９】
入力伝送路２１は、図２に示すように、線状をなし、その一方の端部Ｅ２１が入力端子６１に接続されている。出力伝送路２２は、線状をなし、その一方の端部Ｅ２２が出力端子６２に接続されている。入力伝送路２１は、出力伝送路２２と交点Ｐ２で直交している。交点Ｐ２は、入力伝送路２１及び出力伝送路２２の各中点である。すなわち、入力伝送路２１の中点は、出力伝送路２２の中点と一致している。
【００２０】
入力伝送路２１及び出力伝送路２２は、同一の共振周波数を有するモノポールアンテナであり、その長さは共に１／４λ（波長）である。入力伝送路２１及び出力伝送路２２は、例えば、銅箔等の金属箔で形成することができる。なお、以下で述べるλは、共振周波数における波長であって、誘電体等による波長短縮を加味した長さである。
【００２１】
反転信号伝送路３は、図１及び図２に示すように、誘電体基板１の主面Ｓ１上に設けられている。反転信号伝送路３は、反転入力伝送路３１と、反転出力伝送路３２と、を備える。
【００２２】
反転入力伝送路３１は、図２に示すように、線状をなし、その一方の端部Ｅ３１が反転入力端子６３に接続されている。反転出力伝送路３２は、線状をなし、その一方の端部Ｅ３２が反転出力端子６４に接続されている。反転入力伝送路３１は、反転出力伝送路３２と交点Ｐ３で直交している。交点Ｐ３は、反転入力伝送路３１及び反転出力伝送路３２の各中点である。すなわち、反転入力伝送路３１の中点は、反転出力伝送路３２の中点と一致している。
【００２３】
反転入力伝送路３１及び反転出力伝送路３２は、同一の共振周波数を有するモノポールアンテナであり、その長さは共に１／４λ（波長）である。反転入力伝送路３１及び反転出力伝送路３２は、例えば、銅箔等の金属箔で形成することができる。
【００２４】
図２に示すように、反転入力伝送路３１と反転出力伝送路３２との交点Ｐ３は、信号伝送路２と反転信号伝送路３との間を通る直線Ｌに対して、入力伝送路２１と出力伝送路と２１の交点Ｐ２と反対側に配置される。本実施形態では、交点Ｐ２が直線Ｌに対して交点Ｐ３と対称となるように、信号伝送路２及び反転信号伝送路３が誘電体基板１の主面Ｓ１上に設けられている。
【００２５】
グラウンド４は、図２に示すように、誘電体基板１の主面Ｓ１上で、信号伝送路２及び反転信号伝送路３の周りに設けられている。具体的には、グラウンド４は、主面Ｓ１の周縁に沿って設けられる環状部４１を含み、環状部４１の内側に信号伝送路２及び反転信号伝送路３が配置されている。グラウンド４は、さらに、環状部４１の内側に突出する８つの突出部４２ａ〜４２ｈを含んでいる。
【００２６】
突出部４２ａと突出部４２ｂとの間には、入力端子６１が配置されている。突出部４２ｃと突出部４２ｄとの間には、出力端子６２が配置されている。突出部４２ｅと突出部４２ｆとの間には、反転入力端子６３が配置されている。突出部４２ｇと突出部４２ｈとの間には、反転出力端子６４が配置されている。
【００２７】
グラウンド５は、図３に示すように、誘電体基板１の主面Ｓ１と反対側の面Ｓ２上に設けられる。グラウンド５は、グラウンド４と対応する位置に配置され、グラウンド４と同じ形状を有する。すなわち、グラウンド５は、環状部４１と同形状の環状部５１と、突出部４２ａ〜４２ｈと同形状の突出部５２ａ〜５２ｈと、を含む。
【００２８】
＜ローパスフィルタの動作原理＞
次に、上記のように構成されたローパスフィルタ１０の動作原理について説明する。ここでは、信号伝送路２が信号を伝送する原理について説明する。反転信号伝送路３は、信号伝送路２が伝送する信号と逆位相の信号を伝送するものであるが、その伝送原理は信号伝送路２の伝送原理と同じであるため、反転信号伝送路３が信号を伝送する原理については説明を省略する。
【００２９】
ローパスフィルタ１０の入力端子６１から信号を入力すると、入力伝送路２１に、その端部Ｅ２１から給電がなされる。入力端子６１に入力される信号を直流信号から徐々に周波数の高い交流信号に変化させていくと、下記式（１）を満たす周波数ｆ１［１／ｓ］の信号が入力されたときに、図４Ａに示すように、入力伝送路２１及び出力伝送路２２に電流の定在波Ｗｃ及び電圧の定在波Ｗｖが生じ、入力伝送路２１及び出力伝送路２２が共振する。このときの周波数ｆ１が、入力伝送路２１及び出力伝送路２２に最初に共振を発生させる共振周波数である。
【００３０】
【数１】
2015053649.tif 000003
【００３１】
上記式（１）において、Ｃは信号の伝搬速度［ｍ／ｓ］、λは信号の波長［ｍ］である。ただし、上記式（１）のλは、入力伝送路２１及び出力伝送路２２の長さλ／４におけるλと同一である。
【００３２】
最初の共振周波数ｆ１の信号が入力端子６１に入力された場合、入力伝送路２１及び出力伝送路２２が共振し、これにより、入力端子６１から、出力伝送路２２の端部Ｅ２２に接続された出力端子６２へと信号が伝達される。詳述すると、図４Ａに示すように、入力伝送路２１では、電流の定在波Ｗｃの振幅と電圧の定在波Ｗｖの振幅との積がその中点で最大となる。また、出力伝送路２１では、電流の定在波Ｗｃの振幅と電圧の定在波Ｗｖの振幅との積がその中点で最大となる。つまり、図４Ｂに示すように、入力伝送路２１及び出力伝送路２２の各中点である、入力伝送路２１と出力伝送路２２との交点Ｐ２に電力最大点（電力分布の腹）Ｐｍａｘが位置する。このように構成することによって、最初の共振周波数ｆ１の信号が入力された場合における入力端子６１から出力端子６２への信号の伝達効率が最大となる。
【００３３】
入力端子６１に入力する信号の周波数を最初の共振周波数ｆ１よりも大きくしていくと、入力伝送路２１及び出力伝送路２２に生じる電流の定在波Ｗｃ及び電圧の定在波Ｗｖが変化する。例えば、図５Ａに示すように、共振周波数ｆ１の２倍の周波数の信号を入力端子６１に入力すると、電流の定在波Ｗｃ及び電圧の定在波Ｗｖの波長は、共振周波数ｆ１の信号が入力端子６１に入力された場合の波長の１／２となる。このとき、定在波Ｗｃの振幅と定在波Ｗｖの振幅との積は、入力伝送路２１及び出力伝送路２２の各中点で最大とならない。入力伝送路２１及び出力伝送路２２の各中点では、電流の定在波Ｗｃの振幅が最大となるが、電圧の定在波Ｗｖの振幅はゼロである。つまり、図５Ｂに示すように、入力伝送路２１と出力伝送路２２との交点Ｐ２には電力ゼロ点（電力分布の節）Ｐ０が位置する。したがって、この場合、入力端子６１から入力された信号は、出力端子６２へは伝達されない。
【００３４】
直流信号、及び最初の共振周波数ｆ１よりも周波数が小さい交流信号が入力端子６１に入力された場合、入力伝送路２１及び出力伝送路２２には、電流の定在波Ｗｃ及び電圧の定在波Ｗｖが生じない。このため、直流信号及び共振周波数ｆ１よりも小さい周波数の交流信号は、入力端子６１から出力端子６２へとほとんど損失なく伝達される。
【００３５】
以上のように、本実施形態のローパスフィルタ１０において、信号伝送路２は、入力伝送路２１及び出力伝送路２２の最初の共振周波数ｆ１以下の周波数の信号をほとんど損失なく通過させる一方、共振周波数ｆ１よりも大きい周波数の信号を遮断することができる。なお、共振周波数ｆ１の４倍の周波数は、再び信号が通過する周波数になり得る。しかしながら、遮断しようとしている周波数よりはるかに高い周波数となり、適用する機器での実用上の問題にはならない。また、反転信号伝送路３は、信号伝送路２と同様に構成されている。このため、反転信号伝送路３も、反転入力伝送路３１及び反転出力伝送路３２の最初の共振周波数ｆ１以下の周波数の信号をほとんど損失なく通過させる一方、共振周波数ｆ１よりも大きい周波数の信号を遮断することができる。このように、ローパスフィルタ１０は、信号伝送路２ならびに反転信号伝送路３を単なる伝送路としてだけでなく共振子本体として機能させ、ローパスフィルタとして好ましい周波数特性を有する。
【００３６】
また、ローパスフィルタ１０では、反転入力伝送路３１と反転出力伝送路３２との交点Ｐ３は、主面Ｓ１上の直線Ｌに対して、入力伝送路２１と出力伝送路２２との交点Ｐ２と対称となるよう配置される。このため、入力伝送路２１と反転入力伝送路３１、出力伝送路２２と反転出力伝送路３２とが平行とならない。この結果として、信号伝送路２及び反転信号伝送路３を同時に信号が伝送する場合に、信号伝送路２に生じる電界及び磁界と反転信号伝送路３に生じる電界及び磁界とが干渉するのを防止することができる。
【００３７】
以上、本発明の実施形態について説明したが、本発明は上記実施形態に限定されるものではなく、その趣旨を逸脱しない限りにおいて、種々の変更が可能である。
【００３８】
例えば、上記実施形態では、信号伝送路２及び反転信号伝送路３は、ともに誘電体基板１の主面Ｓ１上に配置されていたが、信号伝送路２及び反転信号伝送路３は、誘電体基板１上に配置されていなくてもよく、また、同一平面上に配置されていなくてもよい。例えば、信号伝送路２及び反転信号伝送路３の少なくとも一方が誘電体基板１内に配置されていてもよい。
【００３９】
上記実施形態では、反転入力伝送路３１と反転出力伝送路３２との交点Ｐ３は、主面Ｓ１上の直線Ｌに対して、入力伝送路２１と出力伝送路２２との交点Ｐ２と対称となるよう配置されていたが、これに限定されるものではない。交点Ｐ３は、誘電体基板１上の直線Ｌに対して反対側に位置する交点Ｐ２と非対称に配置されていてもよい。
【００４０】
上記実施形態では、入力伝送路２１は出力伝送路２２と直交していたが、入力伝送路２１は出力伝送路２２と直交していなくてもよい。同様に、反転入力伝送路３１は反転出力伝送路３２と直交していなくてもよい。
【００４１】
上記実施形態では、入力伝送路２１の中点は、出力伝送路２２の中点と一致していたが、各中点は一致していなくてもよい。また、反転入力伝送路３１の中点は、反転出力伝送路３２の中点と一致していなくてもよい。
【００４２】
上記実施形態では、グラウンド４は、誘電体基板１の主面Ｓ１上に設けられていたが、グラウンド４の位置は特に限定されず、グラウンド４が誘電体基板１内に設けられていてもよい。グラウンド５は、主面Ｓ１と反対側の面Ｓ２上に設けられていたが、グラウンド５の位置は特に限定されず、グラウンド５が誘電体基板１内に設けられていてもよい。
【００４３】
上記実施形態では、グラウンド４は、環状部４１及び突出部４２Ａ〜４２Ｈを含んでいたが、グラウンド４の形状は特に限定されない。また、グラウンド５は、グラウンド４と同じ形状を有していたが、グラウンド５の形状も特に限定されず、グラウンド５がグラウンド４と異なる形状を有していてもよい。
【００４４】
上記実施形態のローパスフィルタ１０は、グラウンド４，５を備えていたが、グラウンド４，５の一方又は双方を備えていなくてもよい。
【００４５】
上記実施形態のローパスフィルタ１０は、いわゆる差動フィルタであり、信号伝送路２及び反転信号伝送路３を備えていたが、反転信号伝送路３を備えていなくてもよい。
【実施例】
【００４６】
以下、実施例を示して本発明をさらに具体的に説明する。ただし、本発明は、以下の実施例に限定されるものではない。
【００４７】
＜ローパスフィルタの周波数特性＞
（実施例１）
周波数が１ＧＨｚ、２ＧＨｚ、２．４５ＧＨｚ、３ＧＨｚ、４．６２ＧＨｚ、及び６ＧＨｚの信号が入力された場合それぞれについて、ローパスフィルタ１０の電流分布シミュレーションを行った。また、ローパスフィルタ１０の周波数特性シミュレーションを行った。
【００４８】
（シミュレーション結果）
図６Ａ及び図６Ｂに、上述した各周波数の信号をローパスフィルタ１０に入力した場合における入力伝送路２の電流分布を示す。図６Ｃは、ローパスフィルタ１０の周波数特性を示すグラフである。ここで、図６Ｃにおいて、Ｓ１１は、入力端子６１の入力信号に対する入力端子６１の出力信号の電圧比である。Ｓ２１は、入力端子６１の入力信号に対する出力端子６２の出力信号の電圧比である。以後、Ｓ１１を反射成分、Ｓ２１を伝達成分という。
【００４９】
図６Ａを参照すると、周波数が１１ＧＨｚ、２ＧＨｚ、及び２．４５ＧＨｚの信号がローパスフィルタ１０に入力された場合、出力伝送路２２において交点Ｐ２よりも下の部分に電流が流れていることがわかる。よって、ローパスフィルタ１０は、周波数が１１ＧＨｚ、２ＧＨｚ、及び２．４５ＧＨｚの信号を通過させることがわかる。
【００５０】
一方、図６Ｂを参照すると、周波数が３ＧＨｚの信号が入力された場合、出力伝送路２２において交点Ｐ２よりも下の部分に流れる電流が低減することがわかる。また、周波数が４．６２ＧＨｚ及び６ＧＨｚの信号がローパスフィルタ１０に入力された場合、出力伝送路２２において交点Ｐ２よりも下の部分には電流が流れていないことがわかる。よって、ローパスフィルタ１０は、信号の周波数が３ＧＨｚ以上になると、信号を徐々に通過させなくなることがわかる。
【００５１】
図６Ｃを参照すると、信号の周波数が２．８ＧＨｚ付近までは、伝達成分Ｓ２１が０ｄＢに近く、信号がほとんど損失なく伝達されることがわかる。なお、反射成分Ｓ１１は、信号の周波数が２．５ＧＨｚを少し超えた辺りで非常に小さくなっている。一方、伝達成分Ｓ２１は、信号の周波数が２．８ＧＨｚを超えた辺りから徐々に減衰し始め、減衰をし始めた時点の周波数のおよそ２倍の周波数で、最小（減衰量が最大）となっている。
【００５２】
以上の結果から、ローパスフィルタ１０は、約２．８ＧＨｚの周波数までの信号をほとんど損失なく通過させるが、信号の周波数が２．８ＧＨｚよりも大きくなるにつれて、徐々に信号を通過させなくなることがわかる。
【００５３】
＜差動信号間の漏れの確認＞
（実施例２）
ローパスフィルタ（差動フィルタ）１０（図７Ａ）の周波数特性シミュレーションを行い、信号伝送路２と反転信号伝送路３との間の差動信号の漏れを確認した。誘電体基板１の主面Ｓ１の面積は、３１４．６ｍｍ２である。
【００５４】
（比較例２）
一般的な差動フィルタ１０Ｃ（図８Ａ）の周波数特性シミュレーションを行い、信号伝送路２Ｃと反転信号伝送路３Ｃとの間の作動信号の漏れを確認した。
【００５５】
比較例２の差動フィルタ１０Ｃは、図８Ａに示すように、矩形状をなす誘電体基板１Ｃと、誘電体基板１Ｃ上に設けられた信号伝送路２Ｃと、誘電体基板１Ｃ上に設けられ信号伝送路２Ｃに平行な反転信号伝送路３Ｃと、を備えている。誘電体基板１Ｃの表面積は、３１３．２４ｍｍ２である。
【００５６】
信号伝送路２Ｃは、入力端子６１Ｃに接続された入力伝送路２１Ｃと、出力端子６２Ｃに接続された出力伝送路２２Ｃと、入力伝送路２１Ｃと出力伝送路２２Ｃとの間に配置された共振素子２３Ｃと、を備える。入力伝送路２１Ｃ、出力伝送路２２Ｃ、及び共振素子２３Ｃは、誘電体基板１Ｃ上で互いに平行に配置されている。
【００５７】
反転出力伝送路３Ｃは、反転入力端子６３Ｃに接続された反転入力伝送路３１Ｃと、反転出力端子６４Ｃに接続された反転出力伝送路３２Ｃと、反転入力伝送路３１Ｃと反転出力伝送路３２Ｃとの間に配置された共振素子３３Ｃと、を備える。反転入力伝送路３１Ｃ、反転出力伝送路３２Ｃ、及び共振素子３３Ｃは、誘電体基板１Ｃ上で互いに平行に配置されている。
【００５８】
（シミュレーション結果）
図７Ｂは、実施例２の差動フィルタ１０の周波数特性を示すグラフである。図８Ｂは、比較例２の差動フィルタ１０Ｃの周波数特性を示すグラフである。ここで、図７Ｂ及び図８ＢにおけるＳ３１は、入力端子６１，６１Ｃの入力信号に対する反転入力端子６３，６３Ｃの出力信号の電圧比である。Ｓ４１は、入力端子６１，６１Ｃの入力信号に対する反転出力端子６４，６４Ｃの出力信号の電圧比である。以後、Ｓ３１，Ｓ４１をともに漏れ成分という。
【００５９】
図７Ｂを参照すると、実施例２の差動フィルタ１０では、漏れ成分Ｓ４１の最悪値が−１９ｄＢ程度であることがわかる。一方、図８Ｂを参照すると、比較例２の差動フィルタ１０Ｃでは、漏れ成分Ｓ４１の最悪値が−１１ｄＢ程度であることがわかる。
【００６０】
このように、実施例２の差動フィルタ１０では、誘電体基板の面積が比較例２の差動フィルタ１０Ｃとほぼ同一であるにもかかわらず、比較例２の差動フィルタ１０Ｃよりも差動信号間の漏れを約８ｄＢ改善することができた。
【００６１】
＜入力伝送路と出力伝送路との間の角度の確認＞
（実施例３）
図９Ａに示すように、入力伝送路２１と出力伝送路２２とがなす角度θを４５度として、周波数特性シミュレーションを行った。
【００６２】
（シミュレーション結果）
図９Ｂに示すように、信号の周波数が２．８ＧＨｚ付近までは、伝達成分Ｓ２１が０ｄＢに近く、信号がほとんど損失なく伝達されていることがわかる。一方、伝達成分Ｓ２１は、信号の周波数が２．８ＧＨｚを超えた辺りから徐々に減衰し始め、実施例１のローパスフィルタ１０と同様、減衰をし始めた時点の周波数のおよそ２倍の周波数で、最小（減衰量が最大）となっている。
【００６３】
したがって、入力伝送路２１と出力伝送路２２とが直交していない場合であっても、ローパスフィルタとしての機能を果たすことがわかる。なお、反転入力伝送路３１と反転出力伝送路３２とが直交していない場合についてはシミュレーションを行っていないが、反転入力伝送路３１及び反転出力伝送路３２は入力伝送路２１及び出力伝送路２２と同様に構成されているので、反転入力伝送路３１と反転出力伝送路３２とが直交していない場合も、ローパスフィルタとしての機能を果たすことが容易に予測できる。ただし、図６Ｃ及び図９Ｂに示すように、実施例３のローパスフィルタは、入力伝送路２１と出力伝送路２２とが直交している実施例１のローパスフィルタ１０よりも減衰量が小さく、ローパスフィルタとしての機能が実施例１のローパスフィルタ１０よりも若干劣る。
【符号の説明】
【００６４】
１０  ローパスフィルタ
１    誘電体基板
２    信号伝送路
２１  入力伝送路
２２  出力伝送路
３    反転信号伝送路
３１  反転入力伝送路
３２  反転出力伝送路
４    グラウンド
６１  入力端子
６２  出力端子
６３  反転入力端子
６４  反転出力端子
【図１】
2015053649.tif 000004
【図２】
2015053649.tif 000005
【図３】
2015053649.tif 000006
【図４Ａ】
2015053649.tif 000007
【図４Ｂ】
2015053649.tif 000008
【図５Ａ】
2015053649.tif 000009
【図５Ｂ】
2015053649.tif 000010
【図６Ａ】
2015053649.tif 000011
【図６Ｂ】
2015053649.tif 000012
【図６Ｃ】
2015053649.tif 000013
【図７Ａ】
2015053649.tif 000014
【図７Ｂ】
2015053649.tif 000015
【図８Ａ】
2015053649.tif 000016
【図８Ｂ】
2015053649.tif 000017
【図９Ａ】
2015053649.tif 000018
【図９Ｂ】
2015053649.tif 000019